(57)【要約】【課題】スループットの低下を招くことなく、より柔軟に上りリンク信号を送信する周波数帯域を基地局装置から移動局装置に割り当てる一方、リソースアロケーションに要する情報量を削減する。【解決手段】移動局装置が上りリンクでデータを送信するための周波数帯域を割り当てて、周波数帯域の割り当て情報を前記移動局装置へ通知する基地局装置１であって、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するスケジューリング部１２０と、前記生成した帯域割当情報を前記移動局装置に対して送信する送信部１１０と、を備える。【選択図】図１
2011142494.tif 000002
【特許請求の範囲】
【請求項１】
移動局装置が上りリンクでデータを送信するための周波数帯域を割り当てて、周波数帯域の割り当て情報を前記移動局装置へ通知する基地局装置であって、
予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するスケジューリング部と、
前記生成した帯域割当情報を前記移動局装置に対して送信する基地局側送信部と、を備えることを特徴とする基地局装置。
【請求項２】
前記スケジューリング部は、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする請求項１記載の基地局装置。
【請求項３】
前記予め定められた周波数帯域は、PUSCH（Physical Uplink Shared Channel）の送信に利用できる帯域全体または前記移動局装置が送信するＳＲＳ（Sounding Reference Signal）の送信周波数帯域のいずれか一方であることを特徴とする請求項２記載の基地局装置。
【請求項４】
前記システム帯域または前記ＳＲＳの送信周波数帯域のいずれか一方を示す情報を前記移動局装置に対して通知することを特徴とする請求項３記載の基地局装置。
【請求項５】
前記予め定められた周波数帯域を複数のグループに分割した際の分割数を前記移動局装置に対して通知することを特徴とする請求項１記載の基地局装置。
【請求項６】
請求項２記載の基地局装置から受信した周波数帯域の割り当て情報に基づいて、クラスタードＤＦＴ−Ｓ−ＯＦＤＭ（Discrete Fourier Transform Spread Orthogonal Frequency Division Multiplexing）方式で上りリンクデータ信号を前記基地局装置へ送信することを特徴とする移動局装置。
【請求項７】
請求項２記載の基地局装置と、請求項６記載の移動局装置と、から構成されることを特徴とする無線通信システム。
【請求項８】
移動局装置が上りリンクでデータを送信するための周波数帯域を割り当てて、周波数帯域の割り当て情報を前記移動局装置へ通知する基地局装置の制御プログラムであって、
予め定められた周波数帯域を連続した複数のグループに分割する処理と、
前記移動局装置に割り当てた周波数帯域を含むグループを特定すると共に前記グループ内で前記移動局装置に割り当てた周波数帯域の開始位置および終了位置を示す情報を含む帯域割り当て情報を生成する処理と、
前記生成した帯域割当情報を前記移動局装置に対して送信する処理と、を含む一連の処理を、コンピュータに読み取り可能および実行可能にコマンド化したことを特徴とする基地局装置の制御プログラム。
【請求項９】
前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする請求項８記載の基地局装置の制御プログラム。
【請求項１０】
基地局装置に実装されることにより、前記基地局装置に複数の機能を発揮させる集積回路であって、
移動局装置が上りリンクでデータを送信するための周波数帯域を割り当てる機能と、
周波数帯域の割り当て情報を前記移動局装置へ通知する機能と、
予め定められた周波数帯域を連続した複数のグループに分割する機能と、
前記移動局装置に割り当てた周波数帯域を含むグループを特定すると共に前記グループ内で前記移動局装置に割り当てた周波数帯域の開始位置および終了位置を示す情報を含む帯域割り当て情報を生成する機能と、
前記生成した帯域割当情報を前記移動局装置に対して送信する機能と、を含む一連の機能を、前記基地局装置に発揮させることを特徴とする集積回路。
【請求項１１】
前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする請求項１０記載の集積回路。
【請求項１２】
移動局装置が上りリンクでデータを送信するための周波数帯域を割り当てて、周波数帯域の割り当て情報を前記移動局装置へ通知する基地局装置の通信方法であって、
スケジューリング部において、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するステップと、
基地局側送信部において、前記生成した帯域割当情報を前記移動局装置に対して送信するステップと、を少なくとも含むことを特徴とする基地局装置の通信方法。
【請求項１３】
前記スケジューリング部において、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成するステップを、さらに含むことを特徴とする請求項１２記載の基地局装置の通信方法。
【発明の詳細な説明】
【技術分野】
【０００１】
本発明は、基地局装置および移動局装置で構成される無線通信システムに適用され、基地局装置が、移動局装置に対して、上りリンクでデータを送信するための周波数帯域を割り当てて、周波数帯域の割り当て情報を移動局装置へ通知する技術に関する。
【背景技術】
【０００２】
現在、３ＧＰＰ（3rd Generation Partnership Project）では、第３世代無線アクセス技術の進化（Long Term Evolution：以下、「LTE」と呼ぶ）や、さらなる通信速度の高速化へ向けたＬＴＥ  Ａｄｖａｎｃｅｄ（以下、「LTE-A」と呼ぶ）についても検討が行なわれている。ＬＴＥにおいてはＳＣ−ＦＤＭＡ（Single Carrier Frequency Division Multiple Access）がサポートされ、一つの移動局装置に対して周波数軸上で連続した領域のみを割り当てることができるが、ＬＴＥ−Ａでは上りリンクデータ信号（UL-SCH：Uplink Shared Channel）送信におけるアクセス方式にクラスタードＤＦＴ−Ｓ−ＯＦＤＭ（Discrete Fourier Transform Spread Orthogonal Frequency Division Multiplexing）を利用し、非連続の周波数領域を割り当てることが可能となる。
【０００３】
ここで、連続した周波数帯のひとまとまりのことをクラスタと呼称する。一方、基地局装置が割り当てた上りリンクの周波数帯域は、下りリンク制御チャネル（PDCCH：Physical Downlink Control Channel）を介して各移動局装置に通知されるが、クラスタードＤＦＴ−Ｓ−ＯＦＤＭ（Discrete Fourier Transform Spread Orthogonal Frequency Division Multiplexing）による非連続の周波数領域割り当てについては、ＬＴＥではサポートされていない。
【０００４】
ＬＴＥではＭＩＭＯによる上りリンク信号の送信がサポートされていない一方で、ＬＴＥ−ＡではＭＩＭＯをサポートすることが検討されており、ＵＬ−ＳＣＨに適用する符号化率、変調方式だけでなく、空間多重数（ランク）、前処理系列（プレコーダ）についても移動局装置から基地局装置に送信されるチャネル算出用の参照信号（サウンディング参照信号、SRS:Sounding Reference Signal）を利用して算出される。ノイズなどに起因する最適なプレコーダの算出誤りはＬＴＥ−Ａではスループットの低下を招くため、ＬＴＥ−ＡはＬＴＥより、さらに高精度なＳＲＳの送信を実現しなければならない。これを実現する一つの手段として、ＳＲＳを送信する帯域幅をシステム帯域幅より狭く設定することにより、送信電力を一定の帯域幅に集中させてＳＮＲ（Signal to Noise Ratio）を向上させる方法がある。
【０００５】
一方、クラスタードＤＦＴ−Ｓ−ＯＦＤＭによる周波数領域での離散配置に対応した、割り当て周波数帯域の通知方法（以下、これをリソースアロケーションと呼称する）については、非特許文献１から４のような方法が提案されている。非特許文献１では、クラスタードＤＦＴ−Ｓ−ＯＦＤＭでサポートするクラスタ数を２に限定したときに、ＳＣ−ＦＤＭＡと同じビットサイズでリソースアロケーションを示すことを提案している。非特許文献２では、クラスタードＤＦＴ−Ｓ−ＯＦＤＭでサポートするクラスタ数を２に限定したときに、第一および第二クラスタの開始位置と終了位置を示すことでリソースアロケーションを実現することを提案している。
【先行技術文献】
【非特許文献】
【０００６】
【非特許文献１】R1-094573 “Control Signaling for Non-Contiguous UL Resource Allocations”, Samsung, 3GPP TSG RAN WG1, Jeju, Korea, November, 2009
【非特許文献２】R1-094703 “Views on PUSCH Resource allocation”, Huawei, 3GPP TSG RAN WG1, Jeju, Korea, November, 2009
【発明の概要】
【発明が解決しようとする課題】
【０００７】
しかしながら、非特許文献１の方法は、クラスタ数を２に限定することを前提としたリソースアロケーションであり、クラスタ数が３以上となったときへの拡張性はない。このため、クラスタ数が３以上であっても適用可能であるリソースアロケーションの手法が望まれる。
【０００８】
本発明は、このような事情に鑑みてなされたものであり、スループットの低下を招くことなく、より柔軟に上りリンク信号を送信する周波数帯域を基地局装置から移動局装置に割り当てる一方、リソースアロケーションに要する情報量を削減することができる基地局装置、移動局装置、無線通信システム、基地局装置の制御プログラム、集積回路および基地局装置の通信方法を提供することを目的とする。
【課題を解決するための手段】
【０００９】
（１）上記の目的を達成するために、本発明は、以下のような手段を講じた。すなわち、本発明の基地局装置は、移動局装置が上りリンクでデータを送信するための周波数帯域を割り当てて、周波数帯域の割り当て情報を前記移動局装置へ通知する基地局装置であって、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するスケジューリング部と、前記生成した帯域割当情報を前記移動局装置に対して送信する基地局側送信部と、を備えることを特徴とする。
【００１０】
このように、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するので、周波数帯域の割り当てに対して、制限を加えることが可能となり、柔軟に上りリンク信号を送信する周波数帯域を基地局装置から移動局装置に割り当てることが可能となる。その結果、帯域割り当て情報を通知する際に必要となるビット数を削減することができ、スループットの低下を回避することができる。
【００１１】
（２）また、本発明の基地局装置において、前記スケジューリング部は、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする。
【００１２】
このように、移動局装置がクラスタードＤＦＴ−Ｓ−ＯＦＤＭ方式によって上りリンクデータ信号を送信するように帯域割り当て情報を生成するので、クラスタードＤＦＴ−Ｓ−ＯＦＤＭ方式を用いた通信を実現することが可能となる。クラスタードＤＦＴ−Ｓ−ＯＦＤＭは、分割数（クラスタ数）を増やすごとにＰＡＰＲが増加するため、クラスタ数１を基準に周波数帯域の空き状況を見て分割数を増やすというスケジューリングを行なうことが望ましい。予め定められた周波数帯域を連続した複数のグループに分割するという考え方は、クラスタードＤＦＴ−Ｓ−ＯＦＤＭに好適である。
【００１３】
（３）また、本発明の基地局装置において、前記予め定められた周波数帯域は、PUSCH（Physical Uplink Shared Channel）の送信に利用できる帯域全体または前記移動局装置が送信するＳＲＳ（Sounding Reference Signal）の送信周波数帯域のいずれか一方であることを特徴とする。
【００１４】
このように、予め定められた周波数帯域は、PUSCH（Physical Uplink Shared Channel）の送信に利用できる帯域全体または前記移動局装置が送信するＳＲＳ（Sounding Reference Signal）の送信周波数帯域のいずれか一方であるので、予め定められた周波数帯域が、PUSCHの送信に利用できる帯域全体である場合は、対象となる周波数帯域を固定にすることで、基地局装置と移動局装置との間での信号のやり取りを削減することができる。また、基地局装置によってスケジュールされる周波数帯域は、ＳＲＳが送信される周波数帯域、つまり伝搬路情報が既知である周波数帯域であることが望ましい。予め定められた周波数帯域が、ＳＲＳの送信周波数帯域である場合は、ＳＲＳが送信される周波数帯域に合わせて周波数帯域を決定することによって、より適したスケジューリングが可能となる。
【００１５】
（４）また、本発明の基地局装置は、前記システム帯域または前記ＳＲＳの送信周波数帯域のいずれか一方を示す情報を前記移動局装置に対して通知することを特徴とする。
【００１６】
このように、システム帯域またはＳＲＳの送信周波数帯域のいずれか一方を示す情報を移動局装置に対して通知するので、移動局装置は、システム帯域またはＳＲＳの送信周波数帯域のいずれか一方のリソースを用いて、上りリンクデータ信号を送信することが可能となる。通知された周波数帯域が、システム帯域である場合は、対象となる周波数帯域を固定にすることで、基地局装置と移動局装置との間での信号のやり取りを削減することができる。また、通知された周波数帯域が、ＳＲＳの送信周波数帯域である場合は、ＳＲＳが送信される周波数帯域に合わせて周波数帯域を決定することによって、より適したスケジューリングが可能となる。
【００１７】
（５）また、本発明の基地局装置は、前記予め定められた周波数帯域を複数のグループに分割した際の分割数を前記移動局装置に対して通知することを特徴とする。
【００１８】
このように、予め定められた周波数帯域を複数のグループに分割した際の分割数を前記移動局装置に対して通知するので、移動局装置は、予め定められた周波数帯域の分割数を把握することができる。スループットを最大化する最適分割数は、スケジューリングのアルゴリズムに依存する。一方で、分割数を大きくするにつれて周波数帯域の割り当て情報のビットサイズは大きくなる。よって、基地局装置がこれを柔軟に設定できるようにすることにより、基地局装置の実装についてより高い柔軟性を持たせることができる。
【００１９】
（６）また、本発明の移動局装置は、上記（２）記載の基地局装置から受信した周波数帯域の割り当て情報に基づいて、クラスタードＤＦＴ−Ｓ−ＯＦＤＭ（Discrete Fourier Transform Spread Orthogonal Frequency Division Multiplexing）方式で上りリンクデータ信号を前記基地局装置へ送信することを特徴とする。
【００２０】
この構成により、クラスタードＤＦＴ−Ｓ−ＯＦＤＭ方式を用いた通信を実現することが可能となる。
【００２１】
（７）また、本発明の無線通信システムは、上記（２）記載の基地局装置と、上記（６）記載の移動局装置と、から構成されることを特徴とする。
【００２２】
この構成により、クラスタードＤＦＴ−Ｓ−ＯＦＤＭ方式を用いた通信を実現することが可能となる。
【００２３】
（８）また、本発明の基地局装置の制御プログラムは、移動局装置が上りリンクでデータを送信するための周波数帯域を割り当てて、周波数帯域の割り当て情報を前記移動局装置へ通知する基地局装置の制御プログラムであって、予め定められた周波数帯域を連続した複数のグループに分割する処理と、前記移動局装置に割り当てた周波数帯域を含むグループを特定すると共に前記グループ内で前記移動局装置に割り当てた周波数帯域の開始位置および終了位置を示す情報を含む帯域割り当て情報を生成する処理と、前記生成した帯域割当情報を前記移動局装置に対して送信する処理と、を含む一連の処理を、コンピュータに読み取り可能および実行可能にコマンド化したことを特徴とする。
【００２４】
このように、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するので、周波数帯域の割り当てに対して、制限を加えることが可能となり、柔軟に上りリンク信号を送信する周波数帯域を基地局装置から移動局装置に割り当てることが可能となる。その結果、帯域割り当て情報を通知する際に必要となるビット数を削減することができ、スループットの低下を回避することができる。
【００２５】
（９）また、本発明の基地局装置の制御プログラムは、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする。
【００２６】
このように、移動局装置がクラスタードＤＦＴ−Ｓ−ＯＦＤＭ方式によって上りリンクデータ信号を送信するように帯域割り当て情報を生成するので、クラスタードＤＦＴ−Ｓ−ＯＦＤＭ方式を用いた通信を実現することが可能となる。クラスタードＤＦＴ−Ｓ−ＯＦＤＭは、分割数（クラスタ数）を増やすごとにＰＡＰＲが増加するため、クラスタ数１を基準に周波数帯域の空き状況を見て分割数を増やすというスケジューリングを行なうことが望ましい。予め定められた周波数帯域を連続した複数のグループに分割するという考え方は、クラスタードＤＦＴ−Ｓ−ＯＦＤＭに好適である。
【００２７】
（１０）また、本発明の集積回路は、基地局装置に実装されることにより、前記基地局装置に複数の機能を発揮させる集積回路であって、移動局装置が上りリンクでデータを送信するための周波数帯域を割り当てる機能と、周波数帯域の割り当て情報を前記移動局装置へ通知する機能と、予め定められた周波数帯域を連続した複数のグループに分割する機能と、前記移動局装置に割り当てた周波数帯域を含むグループを特定すると共に前記グループ内で前記移動局装置に割り当てた周波数帯域の開始位置および終了位置を示す情報を含む帯域割り当て情報を生成する機能と、前記生成した帯域割当情報を前記移動局装置に対して送信する機能と、を含む一連の機能を、前記基地局装置に発揮させることを特徴とする。
【００２８】
このように、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するので、周波数帯域の割り当てに対して、制限を加えることが可能となり、柔軟に上りリンク信号を送信する周波数帯域を基地局装置から移動局装置に割り当てることが可能となる。その結果、帯域割り当て情報を通知する際に必要となるビット数を削減することができ、スループットの低下を回避することができる。
【００２９】
（１１）また、本発明の集積回路は、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成することを特徴とする。
【００３０】
このように、移動局装置がクラスタードＤＦＴ−Ｓ−ＯＦＤＭ方式によって上りリンクデータ信号を送信するように帯域割り当て情報を生成するので、クラスタードＤＦＴ−Ｓ−ＯＦＤＭ方式を用いた通信を実現することが可能となる。クラスタードＤＦＴ−Ｓ−ＯＦＤＭは、分割数（クラスタ数）を増やすごとにＰＡＰＲが増加するため、クラスタ数１を基準に周波数帯域の空き状況を見て分割数を増やすというスケジューリングを行なうことが望ましい。予め定められた周波数帯域を連続した複数のグループに分割するという考え方は、クラスタードＤＦＴ−Ｓ−ＯＦＤＭに好適である。
【００３１】
（１２）また、本発明の基地局装置の通信方法は、移動局装置が上りリンクでデータを送信するための周波数帯域を割り当てて、周波数帯域の割り当て情報を前記移動局装置へ通知する基地局装置の通信方法であって、スケジューリング部において、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するステップと、基地局側送信部において、前記生成した帯域割当情報を前記移動局装置に対して送信するステップと、を少なくとも含むことを特徴とする。
【００３２】
このように、予め定められた周波数帯域を連続した複数のグループに分割し、前記移動局装置に割り当てた周波数帯域を含むグループを特定すると共に前記グループ内で前記移動局装置に割り当てた周波数帯域の開始位置および終了位置を示す情報を含む帯域割り当て情報を生成するので、周波数帯域の割り当てに対して、制限を加えることが可能となり、柔軟に上りリンク信号を送信する周波数帯域を基地局装置から移動局装置に割り当てることが可能となる。その結果、帯域割り当て情報を通知する際に必要となるビット数を削減することができ、スループットの低下を回避することができる。
【００３３】
（１３）また、本発明の基地局装置の通信方法は、前記スケジューリング部において、前記移動局装置がクラスタードＤＦＴ−Ｓ−ＯＦＤＭ（Discrete Fourier Transform Spread Orthogonal Frequency Division Multiplexing）方式によって上りリンクデータ信号を送信するように前記帯域割り当て情報を生成するステップを、さらに含むことを特徴とする。
【００３４】
このように、移動局装置がクラスタードＤＦＴ−Ｓ−ＯＦＤＭ方式によって上りリンクデータ信号を送信するように帯域割り当て情報を生成するので、クラスタードＤＦＴ−Ｓ−ＯＦＤＭ方式を用いた通信を実現することが可能となる。クラスタードＤＦＴ−Ｓ−ＯＦＤＭは、分割数（クラスタ数）を増やすごとにＰＡＰＲが増加するため、クラスタ数１を基準に周波数帯域の空き状況を見て分割数を増やすというスケジューリングを行なうことが望ましい。予め定められた周波数帯域を連続した複数のグループに分割するという考え方は、クラスタードＤＦＴ−Ｓ−ＯＦＤＭに好適である。
【発明の効果】
【００３５】
本発明によれば、基地局装置のスケジューリングアルゴリズムに依存して、およびスケジューリングに必要な伝搬路情報取得の有無に依存して、クラスタードＤＦＴ−Ｓ−ＯＦＤＭのリソースアロケーションを実現することができる。
【図面の簡単な説明】
【００３６】
【図１】本発明の基地局装置１の一構成例を示す機能ブロック図である。
【図２】本発明の移動局装置３の一構成例を示す機能ブロック図である。
【図３】本発明の第１の実施形態に係る基地局装置１が移動局装置３に対してＵＬ−ＳＣＨの送信に利用する周波数帯域を割り当てる動作を示すシーケンスチャートである。
【図４Ａ】本発明の第１の実施形態に係る図３のステップＳ１０３で送信されるリソースアロケーションの仕組みを示した図である（Ｎ＝２の場合）。
【図４Ｂ】本発明の第１の実施形態に係る図３のステップＳ１０３で送信されるリソースアロケーションの仕組みを示した図である（Ｎ＝３の場合）。
【図５】本発明の第２の実施形態に係る基地局装置１が移動局装置３に対してＵＬ−ＳＣＨの送信に利用する周波数帯域を割り当てる動作を示すシーケンスチャートである。
【図６Ａ】本発明の第２の実施形態に係る図５のステップＳ２０５で送信されるリソースアロケーションの仕組みを示した図である（Ｎ＝２の場合）。
【図６Ｂ】本発明の第２の実施形態に係る図５のステップＳ２０５で送信されるリソースアロケーションの仕組みを示した図である（Ｎ＝３の場合）。
【図７】ＬＴＥにおけるＳＲＳの送信の方法について具体的に示した図である。
【図８】サウンディングサブフレームの詳細な構成を示した図である。
【図９】ＳＲＳの送信方法について示した図である。
【図１０】ＬＴＥにおける、ＳＣ−ＦＤＭＡに対応したリソースアロケーションの仕組みを示す図である。
【発明を実施するための形態】
【００３７】
次世代セルラー移動通信の一方式として、国際的な標準化プロジェクトである３ＧＰＰにおいて、Ｗ−ＣＤＭＡ（Wideband-Code Division Multiple Access）とＧＳＭ（Global System for Mobile Communications）を発展させたネットワークの仕様に関して検討が行なわれている。３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（High-Speed Downlink Packet Access）も標準化され、サービスが運用されている。現在、３ＧＰＰでは、第３世代無線アクセス技術の進化（Long Term Evolution：以下、「LTE」と呼ぶ）や、さらなる通信速度の高速化へ向けたＬＴＥ Ａｄｖａｎｃｅｄ（以下、「LTE-A」と呼ぶ）についても検討が行なわれている。
【００３８】
ＬＴＥにおける上りリンクデータの送信では、基地局装置から割り当てられたリソースに基づくＳＣ−ＦＤＭＡ（Single Carrier Frequency division multiple Access）をベースにした通信方式が採用されている。具体的には変調された送信信号はＤＦＴ（Discrete Fourier Transformation）により周波数領域の信号へと変換され、基地局装置により割り当てられた周波数リソースにマッピングされた後、ＩＤＦＴ（Inverse DFT）により時間領域の信号へと変換され基地局装置へと送信される。ここでは、上りリンクデータとは上位レイヤから渡され、物理層では各ビットの意味を解釈しないデータに対応し、トランスポートチャネルで定義されたＵＬ−ＳＣＨ（Uplink Shared Channel）と呼称することとする。実際に送信されるデータはＵＬ−ＳＣＨに対して符号化などの処理が施されたものであり、基地局装置によって移動局装置に割り当てられるＰＵＳＣＨ（Physical Uplink Shared Channel）と呼ばれるデータ信号送信チャネルでこれが送信される。
【００３９】
ＬＴＥの上りリンクにおけるマルチアンテナ送信技術について、２本の送信アンテナから適応的に１本の送信アンテナを選択するアンテナスイッチングがサポートされている。これに対してＬＴＥ−Ａでは、上りリンク方式の拡張として、ＭＩＭＯ（Multiple Input Multiple Output）による空間多重の適用が検討されており、ＵＬ−ＳＣＨのデータは最大４本の送信アンテナにより空間多重されて複数の系列が送信される。ここで、ＵＬ−ＳＣＨに適用する空間多重系列数、符号化率、変調方式は、移動局装置から基地局装置に送信されるチャネル算出用の参照信号（サウンディング参照信号、SRS: Sounding Reference Signal）を利用して算出される。ＳＲＳはこの用途のほかに、周波数スケジューリングにも利用される。
【００４０】
図７は、ＬＴＥにおけるＳＲＳの送信の方法について具体的に示した図である。基地局装置は、それと通信をする移動局装置全体との間にサウンディングサブフレームを設定し、具体的にはサウンディングサブフレームは基準サブフレームからのオフセットと周期が与えられる。サウンディングサブフレームは全移動局装置に対して共通であり、このサブフレームにおいていずれかの移動局装置から基地局装置へＳＲＳが送信されることを意味する。
【００４１】
図８は、サウンディングサブフレームの詳細な構成を示した図である。ただし、図８にはＰＵＳＣＨとして利用できる帯域のみ記載しており、制御情報を送信する周波数帯域については省略している。図８における縦軸は周波数軸であり、一つのブロックはサブキャリアを表す。ＬＴＥでは連続する１２サブキャリアをまとめてリソース割り当て単位としており、これをリソースブロック（RB：Resource Block）と呼称している。一方横軸は時間軸であり、周波数領域を時間領域に変換し、サイクリックプレフィックスを付与する単位によって時間を分割している。これを１ＳＣ−ＦＤＭＡシンボルと呼称する。ＬＴＥでは連続する７ＳＣ−ＦＤＭＡシンボルにより１スロットを構成し、２スロットをまとめて１サブフレームを構成する。サブフレームはＬＴＥおよびＬＴＥ−Ａにおける時間領域でのリソースの分割単位となっている。
【００４２】
図８に示されるように、それぞれのＳＣ−ＦＤＭＡシンボルは異なる用途に利用することができ、ＳＣ−ＦＤＭＡシンボル＃３はデータ復調用の参照信号（DMRS: Demodulation RS）の送信のために利用される。スロット＃１におけるＳＣ−ＦＤＭＡシンボル＃６はＳＲＳの送信のために利用される。それ以外のＳＣ−ＦＤＭＡシンボルはデータ送信用に利用される。ここで、ＤＭＲＳおよびＳＲＳは、他のユーザとの多重や、アンテナ識別のために直交符号が利用されており、ＬＴＥではＣＡＺＡＣ（Constant Amplitude and Zero-autocorrelation）系列を時間軸上でサイクリックシフトさせた信号系列を基にした系列が利用されている。
【００４３】
図９は、ＳＲＳの送信方法について示した図である。基地局装置は、移動局装置に共通で、もしくは移動局装置一括でＳＲＳの送信に関する設定を行なう。ここで、設定とは、ＳＲＳサブフレームのうち、移動局装置が利用できるサブフレームの位置をオフセットと周期により設定することとともに、ＳＲＳがサポートする帯域、１サブフレームにて送信されるＳＲＳ帯域幅、およびどのアンテナから送信されるかを表す。
【００４４】
具体的に図９を用いて説明すると、ここでは偶数サブフレームがＳＲＳサブフレームとして設定されており、そのうち｛４、８、１２、１６、２０、２４｝サブフレームがこの移動局装置に割り当てられている。ここで、送信するサブフレームのことをＳＲＳ送信の時間位置と呼ぶ。また、この移動局装置のＳＲＳがサポートする帯域はシステム帯域幅の一部であるＦであり、１回のＳＲＳ送信で帯域Ｆの幅の三分の一つまり帯域Ｆ１、Ｆ２、Ｆ３が予め決められた順序で送信される。ここで、送信する周波数帯域のことをＳＲＳ送信の周波数位置と呼ぶ。また、この移動局装置は２本の送信アンテナを具備していることを想定しており、１サブフレームで一つのアンテナに対応したＳＲＳを送信する。具体的にこの例においては、アンテナ＃０、＃１をそれぞれの送信タイミングで交互に送信するように設定される。なお、図７および図８では各送信アンテナから送信されるＳＲＳは、異なるサブフレームを利用することを想定しているが、同一時刻、同一周波数において、前記のサイクリックシフトにより符号多重させて送信させることも可能である。
【００４５】
図１０は、ＬＴＥにおける、ＳＣ−ＦＤＭＡに対応したリソースアロケーションの仕組みを示す図である。図１０の横軸は周波数を表し、１０個のＲＢがリソースアロケーションにより指定される様子を表している。ＬＴＥにおけるリソースアロケーションには、移動局装置に割り当てられるＲＢの開始位置と終了位置を示す情報が含まれており、図１０の例においては、５番目のＲＢが開始位置として指定され、８番のＲＢが終了位置として移動局装置に通知される。これを受信した移動局装置は、５、６、７そして８番のＲＢが割り当てられたものと解釈し、この周波数帯域を用いてＵＬ−ＳＣＨを送信する。以下、本発明の実施形態について図面を参照して説明する。以下、本発明の実施形態について図面を参照して説明する。
【００４６】
（第１の実施形態）
本発明の第１の実施形態による移動通信システムは、基地局装置１と移動局装置３とを有している。図１は、本発明の基地局装置１の一構成例を示す機能ブロック図である。本発明の基地局装置１は、送信部１１０（基地局側送信部）、スケジューリング部１２０、受信部１３０、およびアンテナ１４０を備えている。送信部１１０は、符号化部１１１、変調部１１２、マッピング部１１３、無線送信部１１４を備えている。また、スケジューリング部１２０は、上りリンク送信周波数帯域割り当て部１２１、上りリンクリソースアロケーション情報生成部１２２、ＳＲＳ帯域制御部１２３を備えており、受信部１３０は無線受信部１３１、ＳＲＳ分離・算出部１３２、逆マッピング・復調処理部１３３を備えている。アンテナ１４０は、下りリンク信号の送信および上りリンク信号の受信に必要な数だけ備えられている。
【００４７】
基地局装置１において生成された、各移動局装置３に送信する下りリンクデータと、スケジューリング部１２０から出力される制御情報送信のためのスケジューリング情報は、符号化部１１１に入力され、それぞれがスケジューリング部１２０からの制御信号に従った符号化が施され符号化ビット列が出力される。スケジューリング部１２０からの制御信号とは符号化率を表す情報や、たとえばターボ符号、テイルバイティング畳み込み符号などの符号化方式を表すものである。また、複数の情報を組み合わせて符号化されてもよく、それぞれの情報が個別に符号化されてもよい。ここで、スケジューリング部１２０から提供される情報とは、上りリンクの送信に利用する帯域つまりリソースアロケーションに関する情報が含まれていることが特徴である。さらに具体的には、リソースアロケーションを含む上りリンクリソース割り当て情報（UL Grant）のことを表す。
【００４８】
符号化部１１１の複数の出力ビット列は変調部１１２に入力され、それぞれがスケジューリング部１２０からの制御信号に従った変調、たとえばＢＰＳＫ、ＱＰＳＫ、１６ＱＡＭ、６４ＱＡＭのシンボルに変換され出力される。変調部１１２の出力はスケジューリング部１２０から提供される下りスケジューリングの情報とともにマッピング部１１３へ入力され、送信データが生成される。ここで送信データとは、例えばＯＦＤＭ信号のことを指しており、マッピング動作とは移動局装置３ごとに指定された周波数、時間リソースに対応させる動作に相当する。また、ＭＩＭＯによる空間多重が採用されていれば、この処理がこのブロックにおいて行なわれる。ここで制御情報とは、上りリンクもしくは下りリンクのリソース割り当て情報、つまり送信タイミングと周波数リソースの情報、上りリンクもしくは下りリンク信号の変調方式および符号化率、および、移動局装置３に対するＣＱＩ、ＰＭＩ、ＲＩの送信要求などのことである。
【００４９】
マッピング部１１３により生成された信号は無線送信部１１４へと出力される。無線送信部１１４では、送信方式にあった形態に変換され、具体的にＯＦＤＭＡに準じた通信方式であれば、周波数領域の信号に対してＩＦＦＴ（Inverse Fast Fourier Transformation）が施されることにより、時間領域の信号が生成される。無線送信部１１４の出力信号はアンテナ１４０に供給され、ここから各移動局装置３へ送信される。
【００５０】
スケジューリング部１２０は、上位レイヤからの制御情報および移動局装置３から送信された情報を管理および制御し、各移動局装置３へのリソース割り振りや変調方式、符号化率の決定およびこれらの動作の制御やその制御情報の出力などを行なっている。上りリンク送信周波数帯域割り当て部１２１は、各移動局装置３が送信した信号、たとえばＳＲＳを利用してＵＬ−ＳＣＨのスケジューリングを行なう。つまり、どの移動局装置３がどの周波数帯域を利用するかを決定する。この決定方法にはＭＡＸ  ＣＩＲ（Carrier to Interference Ratio）やＰＦ（Proportional Fairness）やＲＲ（Round Robin）などのアルゴリズムを適用することができるが、具体的な方法が問われるわけではない。
【００５１】
上りリンクリソースアロケーション情報生成部１２２は、上りリンク送信周波数帯域割り当て部１２１のスケジューリング情報に基づいて、各移動局装置３に送信するリソースアロケーション信号の生成を行ない、さらに基地局装置１がサポートするクラスタ数Ｎの決定も行なうことができる。ＳＲＳ帯域制御部１２３は、各移動局装置３に対して適用するＳＲＳの符号リソースを管理する。上りリンクリソースアロケーション情報生成部１２２で生成されるリソースアロケーション情報は、基地局装置１が選択した最大クラスタ数やＳＲＳ帯域制御部１２３で制御されたＳＲＳ帯域幅によって決めることもできる。
【００５２】
一方、移動局装置３から送信された信号は、アンテナ１４０で受信された後、無線受信部１３１に入力される。無線受信部１３１はデータや制御信号を受け取り、送信方式に応じたディジタル信号を生成して出力する。具体的にＯＦＤＭ方式やＳＣ−ＦＤＭＡ方式が採用されているのであれば、受信信号をアナログ・ディジタル変換した後、処理時間単位でＦＦＴ処理を施した信号が出力される。ここで、無線受信部１３１には、上りリンクの伝搬路の状況を計測するための信号と、例えば上位レイヤで処理されるデータ信号や制御情報として管理されるべき情報を含む信号などの信号の２種類に分けられ、それぞれ第１の信号および第２の信号として出力される。
【００５３】
無線受信部１３１の第１の出力はＳＲＳ分離・算出部１３２へ出力される。ここでは、上りリンク信号に含められたＳＲＳもしくはＳＲＳが抽出され、そこから得られる各移動局装置３のチャネル情報をスケジューリング部１２０へ出力する。特に、ＳＲＳは時間、周波数、符号リソースによってユーザごと、もしくは他の情報と多重されている可能性があり、ＳＲＳ帯域制御部１２３で管理するリソース割り当て情報に従って、これらの分離が行なわれる。
【００５４】
無線受信部１３１の第２の出力は逆マッピング・復調処理部１３３へと出力される。逆マッピング・復調処理部１３３ではスケジューリング部１２０が管理するマッピングパターン、変調方式および符号化率を利用して、移動局装置３から送信された複数種類の情報をそれぞれ復調、抽出する。ここで、上りリンク信号に空間多重が適用されており、２種類以上の通信品質の異なる情報が同時に送信されていれば、それぞれの信号が含まれている時間、周波数位置をあらかじめ分離し、スケジューリング部１２０から入力される制御情報に従って、それぞれ異なる変調方式、符号化率、空間多重数を適用した逆マッピング、復調処理が行なわれる。このような処理により得られた信号のうち、上位レイヤで処理されるものについては上位レイヤへと出力され、スケジューリング部１２０で管理される制御情報、たとえばＣＱＩやＲＩなどについては、スケジューリング部１２０に出力される。
【００５５】
図２は、本発明の移動局装置３の一構成例を示す機能ブロック図である。移動局装置３は、図２に示すように、受信部２１０、スケジューリング情報管理部２２０、送信部２３０、および、アンテナ２４０を備えている。受信部２１０は無線受信部２１１、復調処理部２１２、下りリンク伝搬路算出部２１３を備えている。また、スケジューリング情報管理部２２０は上りリンクリソースアロケーション情報管理部２２１、ＳＲＳ帯域管理部２２２を備えている。アンテナ２４０は上りリンク信号の送信および下りリンク信号の受信に必要な数だけ備えられている。送信部２３０は符号化部２３１、変調部２３２、マッピング部２３３、無線送信部２３４を備えている。
【００５６】
基地局装置１から送信される下りリンク信号をアンテナ２４０で受信すると、この受信信号は無線受信部２１１へ入力される。無線受信部２１１では、アナログ・ディジタル（A/D）変換などの他に、通信方式に応じた処理が施され、出力される。具体的にＯＦＤＭＡであれば、Ａ／Ｄ変換後の時系列の信号はＦＦＴ処理され、時間・周波数領域の信号に変換されて出力される。
【００５７】
無線受信部２１１の出力信号は復調処理部２１２へ入力される。これとともに復調処理部２１２にはスケジューリング情報管理部２２０から出力される下りリンク信号のスケジューリング情報（つまり自局宛の信号がどこに割り当てられているかという情報）、空間多重の系列数、変調方式、符号化率といった制御情報も入力され、復調処理が行なわれる。復調された信号は信号の種類によって分類され、上位レイヤにて処理される情報は上位レイヤへと渡され、スケジューリング情報管理部２２０にて管理される情報についてはスケジューリング情報管理部２２０に入力される。ここでスケジューリング情報管理部２２０にて管理される情報とは、上りリンクのリソースアロケーションに関する情報や、ＳＲＳを送信するリソース（時間、周波数、符号リソース）に関する情報を含む。下りリンク伝搬路算出部２１３は無線受信部２１１から提供される伝搬路算出用の信号を入力信号として、下りリンクに適用できる空間多重の系列数、変調方式、符号化率といった管理情報を計算する。この管理情報はスケジューリング情報管理部２２０へと入力される。
【００５８】
スケジューリング情報管理部２２０は基地局装置１から送信された制御情報を管理し、また、移動局装置３で算出された制御情報を基地局装置１へ送信するための管理も行なう。上りリンクリソースアロケーション情報管理部２２１は、基地局装置１から送信された自局の上りリンクリソース情報を管理する。具体的には、受信したリソースアロケーションの情報を、基地局装置１から送信されるクラスタ数Ｎ、ＳＲＳ帯域幅などを考慮して解釈し、具体的にＵＬ−ＳＣＨの送信に利用できる周波数帯域に翻訳する。ＳＲＳ帯域管理部２２２は基地局装置１から送信されたＳＲＳに適用する符号リソースを管理するとともに、それらのリソースを用いたＳＲＳ送信の制御を行なう。
【００５９】
送信部２３０は、上りリンクデータやＳＲＳなどの情報を割り当てられた上りリンクリソースにおいて送信する。下りリンクデータおよびスケジューリング情報管理部２２０で管理される信号は、その送信タイミングにおいて符号化部２３１へ供給され、入力された信号はそれぞれの種類によって異なる符号化率の符号化が行なわれる。この複数系列の出力信号は変調部２３２へと入力され、それぞれの種類によって異なる変調方式により変調される。この出力はマッピング部２３３へと出力され、送信情報ごとの空間多重数、リソースアロケーションに応じて信号のマッピングを行なう。
【００６０】
マッピング部２３３によりマッピングされた信号は、無線送信部２３４へ入力される。無線送信部２３４ではこれらの信号が送信用の信号形態に変換される。具体的には、周波数領域の信号をＩＦＦＴにより時間領域の信号へ変換し、ガードインターバルを付与する動作などがこれに相当する。無線送信部２３４の出力はアンテナ２４０に供給される。
【００６１】
図３は、本発明の第１の実施形態に係る基地局装置１が移動局装置３に対してＵＬ−ＳＣＨの送信に利用する周波数帯域を割り当てる動作を示すシーケンスチャートである。図３では、本発明の第１の実施形態に係る２つの基地局装置１と移動局装置３から構成され、基地局装置１から移動局装置３へとＵＬ−ＳＣＨの送信に利用する周波数帯域が割り当てられ、それに基づき移動局装置３から基地局装置１へとＵＬ−ＳＣＨを送信することを示している。ここでは、基地局装置１に属する一つの移動局装置３のみに着目したシーケンスが示されているが、複数の移動局装置３が基地局装置１に属する場合についても本実施形態と同様の手順を適用することが可能である。
【００６２】
基地局装置１は、移動局装置３に対してサポートされるクラスタ数Ｎを通知する（ステップＳ１０１）。ここで、Ｎの通知は必ずしも必要でなく、仕様書等であらかじめ決められた値を使うことや、システム帯域幅などの情報から一意に決まるものとしてもよい。この場合のステップＳ１０１の処理は割愛される。これを受信した移動局装置３は、今後受信されるリソースアロケーション情報がクラスタ数Ｎを想定したものだと解釈する（ステップＳ１０２）。
【００６３】
次に、基地局装置１は移動局装置３に対してリソースアロケーション情報を含むＵＬ−ｇｒａｎｔを送信する（ステップＳ１０３）。ＵＬ−ｇｒａｎｔには、リソースアロケーションのほかにＭＣＳに関する情報、ＨＡＲＱの再送制御に関する情報、ＭＩＭＯに関するプレコーダの情報や空間多重の情報などが含まれる。これを受信した移動局装置３はＵＬ−ｇｒａｎｔに含まれたリソースアロケーションを決められたフォーマットに則って割り当てられた周波数帯域を解釈し（ステップＳ１０４）、ＵＬ−ＳＣＨを生成後（ステップＳ１０５）、この周波数帯域へマッピングし（ステップＳ１０６）、基地局装置１へ送信する（ステップＳ１０７）。基地局装置１は自局で保持している周波数帯域と割り当て移動局装置３の対応表から、ＵＬ−ＳＣＨを受信する（ステップＳ１０８）。リソースアロケーションの情報ビット列がどのようなフォーマットであり、どのように解釈するかについて図４Ａ、４Ｂを用いて説明する。
【００６４】
図４Ａは、本発明の第１の実施形態に係る図３のステップＳ１０３で送信されるリソースアロケーションの仕組みを示した図である（Ｎ＝２の場合）。この図において、横軸は周波数を表しており、PUSCH割り当ての対象となる周波数帯域がリソースブロック（RB）単位で１０分割されていることを表している。ただし、PUSCH割り当ての対象となる周波数帯域はシステム帯域と一致してもよく、PUSCHを割り当てることができる周波数帯域と一致するか、もしくはそれを包含する周波数帯域のことである。ここでは、Ｎ＝２が基地局装置１から与えられることにより、システム帯域幅は連続した５ＲＢずつ２つのグループ（第１のグループ：＃１−１〜＃１−５、第２のグループ：＃２−１〜＃２−５）に等分割されている。移動局装置３に＃１−３、＃１−４そして＃２−３を割り当てる場合には、第１のグループに関するリソース割り当てとして＃１−３を開始位置、＃１−４を終了位置としてリソースアロケーションを構成し、第２のグループに関するリソース割り当てとして＃２−３を開始位置、＃２−３を終了位置としてリソースアロケーションを構成する。これによりクラスタ数が２となるクラスタードＤＦＴ−Ｓ−ＯＦＤＭ信号を生成することができる。
【００６５】
図１０のようなＬＴＥの方法でリソースアロケーションを指定すると、ＳＣ−ＦＤＭＡの場合より単純にＮ倍のビット数が必要となる。たとえば、システム帯域幅に対応するＲＢ数が５０、Ｎ＝２であったときリソースアロケーションに必要なビット数は、
Ｎ×ｌｏｇ２（Ｍ＋Ｍ×（Ｍ−１）／２）＝２０．６ビット
であるが、本発明を適用すると
Ｎ×ｌｏｇ２（（Ｍ／２）＋（Ｍ／２）×（Ｍ／２−１）／２）＝１６．７ビット
と、４ビット程度の情報削減が可能となる。
【００６６】
図４Ｂは、本発明の第１の実施形態に係る図３のステップＳ１０３で送信されるリソースアロケーションの仕組みを示した図である（Ｎ＝３の場合）。この図においても、横軸は周波数を表しており、システム帯域幅がリソースブロック（RB）単位で１０分割されていることを表している。ここでは、Ｎ＝３が基地局装置１から与えられることにより、システム帯域幅は連続した４、３、３ＲＢずつ３つのグループ（第１のグループ：＃１−１〜＃１−４、第２のグループ：＃２−１〜＃２−３、第３のグループ：＃３−１〜＃３−３）に分割されている。移動局装置３に＃１−３、＃２−１、＃２−２、＃２−３そして＃３−１を割り当てる場合には、第１のグループに関するリソース割り当てとして＃１−３を開始位置、＃１−３を終了位置としてリソースアロケーションを構成し、第２のグループに関するリソース割り当てとして＃２−１を開始位置、＃２−３を終了位置としてリソースアロケーションを構成し、第３のグループに関するリソース割り当てとして＃３−１を開始位置、＃３−３を終了位置としてリソースアロケーションを構成する。
【００６７】
この例においては、ＲＢ＃２−３とＲＢ＃３−１は連続した周波数領域であるため、最終的に生成されるクラスタの数は２となる。つまり、クラスタ数が３となるクラスタードＤＦＴ−Ｓ−ＯＦＤＭ信号を生成することができる一方で、それぞれのグループが隣接するようなＲＢの割り当てを行なえば、基地局装置１が割り当てたクラスタ数Ｎより小さいクラスタ数のＤＦＴ−Ｓ−ＯＦＤＭ信号を生成することもできる。同様の処理はＮが４以上の場合についても同様の処理を適用することで容易に拡張することが可能である。以上の処理により、他の基地局装置１に属する移動局装置３から送信されるＳＲＳをキャンセルすることができ、所望のＳＲＳ信号の検出精度を向上させることができる。
【００６８】
（第２の実施形態）
本発明の第２の実施形態による移動通信システムは、図１に示す基地局装置１と図２に示す移動局装置３とを有している。それぞれの構成部は第１の実施の形態と同様であるため、説明は省略する。
【００６９】
図５は、本発明の第２の実施形態に係る基地局装置１が移動局装置３に対してＵＬ−ＳＣＨの送信に利用する周波数帯域を割り当てる動作を示すシーケンスチャートである。図５では、本発明の第２の実施形態に係る２つの基地局装置１と移動局装置３から構成され、基地局装置１から移動局装置３へとＵＬ−ＳＣＨの送信に利用する周波数帯域が割り当てられ、それに基づき移動局装置３から基地局装置１へとＵＬ−ＳＣＨを送信することを示している。ここでは、基地局装置１に属する一つの移動局装置３のみに着目したシーケンスが示されているが、複数の移動局装置３が基地局装置１に属する場合についても本実施形態と同様の手順を適用することが可能である。第１の実施形態と異なる点は、リソースアロケーションが対応する周波数帯域がＳＲＳ帯域幅と関連をもつ点である。以下、図５のシーケンスチャートに関して、第１の実施形態と異なる動作ステップ（ステップＳ２０１〜ステップＳ２０５）について説明する。
【００７０】
基地局装置１は、移動局装置３に対してＳＲＳ帯域幅に関する情報を含む設定を通知する（ステップＳ２０１）。これを受信した移動局装置３は、受信した設定に従い、ＳＲＳ帯域幅を含む設定を行なう（ステップＳ２０２）。続いて、移動局装置３は、ＳＲＳの送信を行なうが（ステップＳ２０３）、具体的なＳＲＳの送信に関する手順は省略する。
【００７１】
次に基地局装置１は移動局装置３に対してリソースアロケーションタイプに関する情報とクラスタ数Ｎに関する情報を通知する（ステップＳ２０４）。リソースアロケーションタイプとは、リソースアロケーションのビット系列がどのようなフォーマットに基づいて生成されたものかを通知するものであり、たとえば、リソースアロケーションがシステム帯域幅全体を表すことができるのか、もしくはＳＲＳ帯域幅によって制限がかかるのかを区別するものである。これを受信した移動局装置３は、今後受信されるリソースアロケーションの解釈をリソースアロケーションタイプとＮに従って行なう（ステップＳ２０５）。
【００７２】
ここで、リソースアロケーションタイプについて図４Ａ、４Ｂと図６Ａ、６Ｂを用いて詳細な説明を行なう。図４Ａ、４Ｂは、基地局装置１から通知されるリソースアロケーションタイプがシステム帯域幅全体であった場合に一致するものであり、その動作は第１の実施形態と同様である。図６Ａ、６Ｂは基地局装置１から通知されるリソースアロケーションタイプがＳＲＳ帯域幅によって制限がかけられた場合に一致するものである。
【００７３】
図６Ａは、本発明の第２の実施形態に係る図５のステップＳ２０５で送信されるリソースアロケーションの仕組みを示した図である（Ｎ＝２の場合）。図６Ａでは、ＳＲＳ帯域幅によってサポートされるＲＢ数は５となっている。この５つのＲＢはＮ＝２に従って２つのグループ（第１のグループ：＃１−１〜＃１−３、第２のグループ：＃２−１〜＃２−２）に等分割されている。移動局装置３に＃１−２、＃１−３そして＃２−２を割り当てる場合には、第１のグループに関するリソース割り当てとして＃１−２を開始位置、＃１−３を終了位置としてリソースアロケーションを構成し、第２のグループに関するリソース割り当てとして＃２−２を開始位置、＃２−２を終了位置としてリソースアロケーションを構成する。これによりクラスタ数が２となるクラスタードＤＦＴ−Ｓ−ＯＦＤＭ信号を生成することができる。
【００７４】
第１の実施の形態と比較して、割り当て可能なＲＢの制限をかけることによるリソースアロケーションのビット削減効果が見込まれるが、その分リソースアロケーションの柔軟性は失われている。具体的には、ＳＲＳが送信されていない帯域についてはこの方法を用いた割り当てを行なうことができない。しかし、一般に割り当てられる周波数帯域はＳＲＳによるチャネル測定に基づいたものであるため、ＳＲＳ帯域幅による制限を課したとしてもスケジューリングの柔軟性は失われず、リソースアロケーションのビットサイズ削減を実現することができる。
【００７５】
図６Ｂは、本発明の第２の実施形態に係る図５のステップＳ２０５で送信されるリソースアロケーションの仕組みを示した図である（Ｎ＝３の場合）。図６Ｂでは、ＳＲＳ帯域幅によってサポートされるＲＢ数は９となっている。この９つのＲＢはＮ＝３に従って２つのグループ（第１のグループ：＃１−１〜＃１−３、第２のグループ：＃２−１〜＃２−３、第３のグループ：＃３−１〜＃３−３）に等分割されている。移動局装置３に＃２−２、＃２−３、＃３−１、＃３−２を割り当てる場合には、第２のグループに関するリソース割り当てとして＃２−２を開始位置、＃２−３を終了位置としてリソースアロケーションを構成し、第３のグループに関するリソース割り当てとして＃３−１を開始位置、＃３−２を終了位置としてリソースアロケーションを構成する。第１のグループについては割り当てを行なわないため、それを明示する情報をリソースアロケーションに含めて移動局装置３に通知される。第２のグループと第３のグループの割り当ては結果的に連続した配置となるため、クラスタ数が１となるクラスタードＤＦＴ−Ｓ−ＯＦＤＭ、つまりＳＣ−ＦＤＭＡ信号を生成することができる。
【００７６】
以上の処理により、ＳＲＳの帯域幅とリソースアロケーションの適用範囲を関連づけることによって、スケジューリングの柔軟性を失わずにリソースアロケーション通知のためのビットサイズを削減することができる。
【００７７】
本発明に関わる基地局装置１、および移動局装置３で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行なわれる。
【００７８】
尚、上述した実施形態における移動局装置３、基地局装置１の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。尚、ここでいう「コンピュータシステム」とは、移動局装置３、または基地局装置１に内蔵されたコンピュータシステムであって、ＯＳや周辺機器等のハードウェアを含むものとする。
【００７９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８０】
また、上述した実施形態における移動局装置３、基地局装置１の一部、または全部を典型的には集積回路であるＬＳＩ（Large Scale Integration）として実現してもよい。移動局装置３、基地局装置１の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００８１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８２】
１  基地局装置
３  移動局装置
１１０  送信部
１１１  符号化部
１１２  変調部
１１３  マッピング部
１１４  無線送信部
１２０  スケジューリング部
１２１  上りリンク送信周波数帯域割り当て部
１２２  上りリンクリソースアロケーション情報生成部
１２３  ＳＲＳ帯域制御部
１３０  受信部
１３１  無線受信部
１３２  ＳＲＳ分離・算出部
１３３  逆マッピング・復調処理部
１４０  アンテナ
２１０  受信部
２１１  無線受信部
２１２  復調処理部
２１３  下りリンク伝搬路算出部
２２０  スケジューリング情報管理部
２２１  上りリンクリソースアロケーション情報管理部
２２２  ＳＲＳ帯域管理部
２３０  送信部
２３１  符号化部
２３２  変調部
２３３  マッピング部
２３４  無線送信部
２４０  アンテナ
【図１】
2011142494.tif 000003
【図２】
2011142494.tif 000004
【図３】
2011142494.tif 000005
【図４Ａ】
2011142494.tif 000006
【図４Ｂ】
2011142494.tif 000007
【図５】
2011142494.tif 000008
【図６Ａ】
2011142494.tif 000009
【図６Ｂ】
2011142494.tif 000010
【図７】
2011142494.tif 000011
【図８】
2011142494.tif 000012
【図９】
2011142494.tif 000013
【図１０】
2011142494.tif 000014